(57)【要約】      （修正有）【課題】ロータの位置又は速度を確実に検出することができるモータを提供する。【解決手段】ステータ２とロータ３と、ロータと共に回転する磁界を走査する少なくとも１つのセンサ４とを備え、ステータはステータ巻線及び軟磁性ステータコア５を備え、ロータは、円周方向に配置された永久磁石７に、第１軟磁性ロータコア８も備え、永久磁石は、ステータ磁界と相互作用し、モータを動作させるロータ磁界を、第１軟磁性ロータコアと共に生成する。ロータは、軸方向に第１軟磁性ロータコアと隣接する第２軟磁性ロータコア９を備え、第１軟磁性ロータコアと第２軟磁性ロータコアとの間には、非磁性セパレータ部材１０が軸方向に配置され、永久磁石は、第１軟磁性ロータコア、非磁性セパレータ部材及び第２軟磁性ロータコアにわたって軸方向に延在し、センサによって走査される磁界は、第２軟磁性ロータコアと共に永久磁石によって生成される制御磁界である。【選択図】図１
2018033299.tif 000002
【特許請求の範囲】
【請求項１】
ステータと、該ステータに対して回転可能に取り付けられたロータ（３）と、該ロータと共に回転する磁界を走査する少なくとも１つのセンサ（４）とを備え、前記ステータはステータ巻線及び軟磁性ステータコア（５）を備え、前記ロータは、該ロータの円周方向に分布して配置されたいくつかの永久磁石（７）の他に、前記永久磁石用の第１軟磁性ロータコア（８）も備え、前記永久磁石は、前記ステータ巻線及び前記ステータコアによって生成される前記ステータのステータ磁界と相互作用し、モータを動作させるロータ磁界を、前記第１軟磁性ロータコアと共に生成する、電子整流式モータ（１）において、前記ロータは、該ロータの軸方向において前記第１軟磁性ロータコアと隣接する第２軟磁性ロータコア（９）をさらに備え、前記第１軟磁性ロータコアと前記第２軟磁性ロータコアとの間には、非磁性セパレータ部材（１０）が軸方向に配置され、前記永久磁石は、前記第１軟磁性ロータコア、前記非磁性セパレータ部材及び前記第２軟磁性ロータコアにわたって軸方向に延在し、前記センサによって走査される磁界は、前記第２軟磁性ロータコアと共に前記永久磁石によって生成される制御磁界であることを特徴とする、電子整流式モータ（１）。
【請求項２】
前記第２軟磁性ロータコア（９）は、軸方向において前記軟磁性ステータコア（５）の外側に配置されていることを特徴とする、請求項１に記載の電子整流式モータ（１）。
【請求項３】
前記第１軟磁性ロータコア（８）は、軸方向において前記軟磁性ステータコア（５）と同一位置に配置されていることを特徴とする、請求項２に記載の電子整流式モータ（１）。
【請求項４】
前記第１軟磁性ロータコア（８）及び前記軟磁性ステータコア（５）は同一の軸方向長さを有することを特徴とする、請求項３に記載の電子整流式モータ（１）。
【請求項５】
前記第２軟磁性ロータコア（９）は、軸方向において前記ステータ巻線の巻線ヘッド（６）で実質的に終端していることを特徴とする、請求項２乃至４のいずれか１項に記載の電子整流式モータ（１）。
【請求項６】
前記非磁性セパレータ部材（１０）はプラスチックディスクであることを特徴とする、請求項１乃至５のいずれか１項に記載の電子整流式モータ（１）。
【請求項７】
前記第１軟磁性ロータコア（８）、前記第２軟磁性ロータコア（９）及び前記非磁性セパレータ部材（１０）は、実質的に同一の断面形状を示すことを特徴とする、請求項１乃至６のいずれか１項に記載の電子整流式モータ（１）。
【請求項８】
前記永久磁石（７）は、前記第１軟磁性ロータコア（８）、前記第２軟磁性ロータコア（９）及び前記非磁性セパレータ部材（１０）に形成された溝（１１ａ、１１ｂ、１１ｃ）に受け入れられることを特徴とする、請求項１乃至７のいずれか１項に記載の電子整流式モータ（１）。
【請求項９】
前記第１軟磁性ロータコア（８）及び前記第２軟磁性ロータコア（９）は、それぞれ、打ち抜き積層され、両側が絶縁された、軟磁性の金属シートから構成されることを特徴とする、請求項１乃至８のいずれか１項に記載の電子整流式モータ（１）。
【請求項１０】
前記ロータ（３）は、４極、８極、１０極、１４極又は１６極構造を有することを特徴とする、請求項１乃至９のいずれか１項に記載の電子整流式モータ（１）。
【請求項１１】
前記永久磁石（７）は前記ロータ（３）の接線方向に磁化されていることを特徴とする、請求項１乃至１０のいずれか１項に記載の電子整流式モータ（１）。
【請求項１２】
前記制御磁界を走査する前記少なくとも１つのセンサ（４）はホールセンサであり、前記ホールセンサは、プリント回路基板（１５）の前記第２軟磁性ロータコア（９）と軸方向に対向する側に配置されていることを特徴とする、請求項１乃至１１のいずれか１項に記載の電子整流式モータ（１）。
【請求項１３】
前記モータ（１）は、６０ｍｍ未満の直径を有する小型モータであることを特徴とする、請求項１乃至１２のいずれか１項に記載の電子整流式モータ（１）。
【請求項１４】
前記ロータ（３）はシャフト（１４）を備え、第１ステップにおいて、前記シャフト（１４）上に、中央貫通孔（１３ｂ）が設けられた前記非磁性セパレータ部材（１０）を滑り込ませ、続いて、対応する中央貫通孔（１３ａ、１３ｃ）を有する前記第１軟磁性ロータコア（８）及び前記第２軟磁性ロータコア（９）も前記シャフト上に滑り込ませ、次のステップにおいて、前記第１及び第２軟磁性ロータコア（８、９）並びに前記非磁性セパレータ部材（１０）の対応する凹部（１１ａ、１１ｂ、１１ｃ）に前記永久磁石（７）を挿入し、その後、嫌気性の埋込用樹脂又は接着剤を用いて前記ロータ（３）を成型することを特徴とする、請求項１乃至１３のいずれか１項に記載の電子整流式モータ（１）用ロータ（３）の製造方法。
【発明の詳細な説明】
【技術分野】
【０００１】
本発明は、独立請求項１の前文に記載の電子整流式モータに関する。
【背景技術】
【０００２】
一般的なタイプの電子整流式モータは、ステータと、ステータに対して回転可能に取り付けられたロータと、ロータと共に回転する磁界を走査する少なくとも１つのセンサとを備える。センサは整流電子回路用の信号を出力する。ステータは、ステータ巻線及び軟磁性ステータコアを備える。ロータは、ロータの円周方向に分布して配置されたいくつかの永久磁石の他に、当該永久磁石用の第１軟磁性ロータコアも備える。モータを動作させるためのロータ磁界は、永久磁石及び第１軟磁性ロータコアによって生成され、ステータ巻線及びステータコアによって生成されるステータのステータ磁界と相互作用する。  
【０００３】
一般的なタイプの電子整流式モータは、従来技術から知られている。整流電子回路用の信号を出力するセンサは、一般的に、ロータの２つの端面の一方の側に配置されている。構造的条件のために、通常、ロータとセンサとの間に一定の間隔が存在する。最も一般的なモータでは、ロータの位置又は回転速度をそれぞれ確実に検出できるようにするために、センサによって走査される磁界を生成する追加の制御磁石がロータに取り付けられる。この制御磁石は、ロータの２つの端面の一方の側に直接配置するのが有利である。追加の制御磁石を設けることは、一般的に、コストの増加及び追加の製造労力につながる。しかしながら、ロータ磁界を直接走査するモータも存在する。このためには、センサをロータの正面側の端部に非常に近接して配置しなければならず、構造的条件のために実装するのが必ずしも容易ではない。
【発明の概要】
【発明が解決しようとする課題】
【０００４】
本発明の目的は、ロータの位置又はその速度をそれぞれ確実に検出することができ、容易な設計で、安価に製造できる冒頭で述べたタイプの電子整流式モータを提供することにある。本発明は、特に、６０ｍｍ未満の外径を有する小型モータを対象とする。
【課題を解決するための手段】
【０００５】
上記目的は、独立請求項１の特徴によって達成される。独立請求項１によると、本発明に係る解決手段は、ロータがロータの軸方向において第１軟磁性ロータコアと隣接する第２軟磁性ロータコアをさらに備え、第１軟磁性ロータコアと第２軟磁性ロータコアとの間には、非磁性セパレータ部材が軸方向に配置され、永久磁石が第１軟磁性ロータコア、非磁性セパレータ部材及び第２軟磁性ロータコアにわたって軸方向に延在し、センサによって走査される磁界は、第２軟磁性ロータコアと共に永久磁石によって生成される制御磁界であることを特徴とする、本発明に係る電子整流式モータにおいて提供される。  
【０００６】
本発明による解決手段は、とりわけ、コストの増加及び追加の製造労力につながるであろう追加の制御磁石を使用する必要なく、確実に検出可能な制御磁界が生成されるという利点を提供する。第２軟磁性ロータコアがあるために、センサが第１軟磁性ロータコアから比較的大きく離れていても、制御磁界をセンサに近づけることができる。第２軟磁性ロータコアは、軟磁性ステータコアを超えて軸方向に突出させるのが有利である。非磁性セパレータ部材を用いることで、軸方向に対して生じるロータ群全体の非対称位置によってロータに軸方向に作用する力が発生するのを防止する。
【０００７】
永久磁石は一体的に形成されており、分割されていない。したがって、それらは、２つの軟磁性ロータコアとその間に配置された非磁性セパレータ部材との並置から生じる全長にわたって実質的に延在する。永久磁石は、好ましくは、２つのロータコア及びセパレータ部材に形成された凹部に収容されている。凹部は、好ましくは、関連する構成要素の外周における連続した長手方向の溝とすることができる。永久磁石の配置は、スポーク状とするのが好ましい。２つのロータコア及び非磁性セパレータ部材の断面は、実質的に同一断面とするのが好ましい。さらに好ましくは、ロータは内部ロータとする。この場合、第１軟磁性ロータコアは、ステータコア内に径方向に配置されている。ステータコアには溝を形成し、ステータ巻線のコイルをステータコアの溝内に受け入れる。あるいは、ステータコアは、アイアンレスの中空円筒形で、自己支持型のステータ巻線の外部バックアイアンによって形成することもできる。ロータ磁界と制御磁界との間に空間的分離を少なくとも存在させるために、軸方向に測定される非磁性セパレータ部材の厚さは、ロータの外径の少なくとも１０％である。
【０００８】
本発明のさらなる有利な実施形態は、従属請求項の主題である。  
【０００９】
本発明の１つの特に好ましい実施形態では、第２軟磁性ロータコアを軸方向において軟磁性ステータコアの外側に配置する。先ず、これは、制御磁界をセンサに近づけるようにする。第２に、これは、制御磁界とステータ磁界との相互作用を回避、又は低減し、磁気的生成される不所望な力が発生しないようにする。第１軟磁性ロータコアは、好ましくは、軟磁性ステータコアと同一の軸方向位置に配置する。最も好ましくは、第１軟磁性ロータコア及び軟磁性ステータコアの軸方向長さを同じとして、第１軟磁性ロータコア及び軟磁性ステータコアを、軸方向に見た場合に、重なり合うようにする。第１軟磁性ロータコアが軟磁性ステータコアより幾分短いか、又は長い場合、前述の「同一の軸方向位置」とは、本出願の文脈において、ステータコアの各端面に対する第１軟磁性ロータコアの同一距離又は同一突出量が軸方向両端部に与えられるものと理解されたい。  
【００１０】
本発明のさらに好ましい実施形態では、第２軟磁性ロータコアは、軸方向においてステータ巻線の巻線ヘッドで実質的に終端する。その結果、最もコンパクトな設計を維持しながら、とりわけ信頼できる、走査可能な制御磁界が確保される。
【００１１】
本発明の特に好ましい実施形態によれば、非磁性セパレータ部材はプラスチックディスクである。これにより、非磁性セパレータ部材は、特に容易で安価な方法で製造可能である。
【００１２】
本発明の別の特に好ましい実施形態によれば、第１軟磁性ロータコア、第２軟磁性ロータコア及び非磁性セパレータ部材は、実質的に同一の断面形状を示す。これにより組み立てが容易になるだけでなく、両方の場合に同一の工具を使用できるので、２つの軟磁性ロータコアの製造もかなり容易になる。
【００１３】
本発明の特に好ましい実施形態によれば、永久磁石は、第１軟磁性ロータコア、第２軟磁性ロータコア及び非磁性セパレータ部材に形成された溝に受け入れられる。この場合、溝は好ましくは連続的であり、それにより、上述した３つの構成要素の全てにわたって等しく延在する。溝は製造が容易であり、永久磁石の容易な組み立てと、信頼性の高い嵌合を保証する。あるいは、永久磁石は、２つの軟磁性ロータコア及びそれらの間に配置された非磁性セパレータ部材にわたって同様に延在し、貫通孔に挿入することもできる。さらに好ましくは、ロータのシャフトを受け入れるために、２つの軟磁性ロータコア及び非磁性セパレータ部材に中央孔を形成する。
【００１４】
本発明のさらに好ましい実施形態によれば、第１軟磁性ロータコア及び第２軟磁性ロータコアは、それぞれ、打ち抜き積層され、両側が絶縁された、軟磁性の金属シートから構成される。金属シートは、互いに機械的に連結され、レーザーパッケージ化、又は接着剤パッケージ化することも可能である。同一の金属シートを第１軟磁性ロータコア及び第２軟磁性ロータコアに使用することができるため、本発明に係るモータの製造が容易になり、したがって特に安価となる。  
【００１５】
本発明のさらに好ましい実施形態によれば、ロータは、４極、８極、１０極、１４極又は１６極構造を有する。
【００１６】
本発明のさらに好ましい実施形態によれば、永久磁石はロータの接線方向に磁化されている。  
【００１７】
本発明のさらに好ましい実施形態によれば、制御磁界を走査する少なくとも１つのセンサはホールセンサであり、ホールセンサは、プリント回路基板の第２軟磁性ロータコアと軸方向に対向する側に配置されている。走査の精度を高めるために、いくつかのホールセンサを設けることももちろん可能である。これらは、さらに好ましくは円周上に分布して配置されている。
【００１８】
本発明のさらに好ましい実施形態によれば、モータは、６０ｍｍ未満の直径を有する小型モータである。
【００１９】
また、本発明は、本発明の電子整流式モータのロータの製造方法を提供する。本発明によれば、ロータはシャフトを備え、第１ステップにおいて、シャフト上に、中央貫通孔が設けられた非磁性セパレータ部材を滑り込ませる。続いて、対応する中央貫通孔を有する第１軟磁性ロータコア及び第２軟磁性ロータコアもシャフト上に滑り込ませる。次のステップにおいて、第１及び第２軟磁性ロータコア並びに非磁性セパレータ部材の対応する凹部に永久磁石を挿入する。その後、嫌気性の埋込用樹脂又は接着剤を用いてロータを成型する。本方法は、容易かつ安価な製造を保証する。
【図面の簡単な説明】
【００２０】
【図１】本発明に係る電子整流式モータの縦断面を示す。
【図２】図１の本発明に係る電子整流式モータのロータの斜視図である。
【図３】図２のロータを製造するための第１方法ステップにおいて、ロータアセンブリの非磁性セパレータ部材がロータのシャフト上に滑り込む様子を示す。
【図４】非磁性セパレータ部材が図３のシャフトの上に配置された様子を示す。
【図５】図２のロータを製造するさらなる方法ステップにおいて、第１軟磁性ロータコア及び第２軟磁性ロータコアがシャフト上に滑り込む様子を示す。
【発明を実施するための形態】
【００２１】
以下、図面を参照して、本発明の実施形態をより詳細に説明する。  
【００２２】
以下の実施形態では、同様の部品は、同様の参照番号によって示される。図面が、付随する図の説明においてより詳細に述べられていない参照番号を含む場合、その前後の図の説明を参照されたい。
【００２３】
図１は、本発明に係る電子整流式モータ１の概略的な縦断面を示す。モータは、外部の中空円筒形のステータ２と、内部ロータとして設計されたロータ３と、ロータの回転位置又は速度をそれぞれ検出するセンサ４とを備える。ステータ２は溝付きステータである。それは、軟磁性ステータコア５の他に、ステータコアの対応する溝に挿入されたいくつかのコイルも備える。これらのコイルは一緒になってステータのステータ巻線を形成する。コイルの巻線ヘッド６のみが示されている。コイルは巻線接続部１６を介して整流電子回路に接続されている。整流電子回路はプリント回路基板１５上に収容されており、プリント回路基板１５はモータの対称軸１２に垂直なロータの右端に配置されている。また、プリント回路基板の、ロータの右端に面する側には、ロータの回転位置を検出するセンサ４が配置されている。センサはホールセンサである。なお、走査精度を向上させる目的で、いくつかのセンサを設けることはもちろん可能である。
【００２４】
図面は概略図に過ぎず、例えば、モータのハウジングは、図１には示されていない。  
【００２５】
図２は、図１の本発明に係るモータのロータ３をより詳細に示す。ロータは、終端間シャフト１４と、第１ロータコア８と、第２ロータコア９と、円周にわたり分布して配置されたいくつかの永久磁石７とを備える。永久磁石７は、棒磁石として設計される。永久磁石７は、２つの軟磁性ロータコアの外周に形成され、かつ、２つの軟磁性ロータコアの全長にわたって延在する、対応する溝内に挿入されている。永久磁石はスポーク状に配置され、ロータの接線方向に磁化されている。第１ロータコア８と第２ロータコア９との間には、プラスチックディスクの形態の非磁性セパレータ部材１０が配置されている。２つのロータコアはセパレータ部材を介して互いに絶縁されている。両方の軟磁性ロータコア８及び９の他に非磁性セパレータ部材も実質的に同一の断面を示す。このことは、セパレータ部材１０にも、永久磁石７を受け入れる対応する溝が外周上に設けられていることを意味する。  
【００２６】
図１は、第１軟磁性ロータコア８が外部の軟磁性体ステータコア５と同じ長さを有することを示している。第１軟磁性ロータコア８及び軟磁性ステータコア５は、重ねて配置され、左右両方において軸方向の同一位置で終端する。永久磁石７は、第１軟磁性ロータコア８と共にロータ磁界を生成する。当該ロータ磁界は、モータを動作させるために、ステータ巻線及びステータコア５によって生成されるステータのステータ磁界と相互作用する。図１は、さらに、第２軟磁性ロータコア９が軟磁性ステータコア５の右端部を超えて軸方向に突出し、ステータ巻線の巻線ヘッド６で実質的に終端している様子を示す。永久磁石７は、第２軟磁性ロータコア９と共に、センサ４によって走査される制御磁界を生成する。非磁性セパレータ部材１０は、制御磁界がステータ磁界とほとんど相互作用しないようにするため、不所望な力が軸方向に発生しなくなる。
【００２７】
本発明に係るモータのロータを製造する方法を以下の図３乃至図５を参照して説明する。図３に示すように、先ず、非磁性セパレータ部材１０をロータのシャフト１４上に滑り込ませる。このために、セパレータ部材１０は、中央貫通孔１３ｂを備える。図４は、セパレータ部材１０が図３のシャフト１４の上に配置された様子を示す。次のステップでは、第１軟磁性ロータコア８及び第２軟磁性ロータコア９をロータシャフトの両端上に滑り込ませる。このために、２つの軟磁性ロータコアも同様に、中央貫通孔１３ａ又は１３ｃをそれぞれ有する。図３及び図５から明らかなように、２つの軟磁性ロータコア８及び９の他に、非磁性セパレータ部材１０も、軸方向に互いにシームレスに移行する溝１１ａ、１１ｂ、１１ｃを備える。最後に、図２にすでに示したように、細長い永久磁石７をこれらの溝に挿入する。続いて、ロータアセンブリを嫌気性の埋込用樹脂又は接着剤で成型する。
【図１】
2018033299.tif 000003
【図２】
2018033299.tif 000004
【図３】
2018033299.tif 000005
【図４】
2018033299.tif 000006
【図５】
2018033299.tif 000007
【外国語明細書】
2018033299000001.pdf